(57)【要約】【課題】ユーザがスクリーンの配置順序を容易に変更し、スクリーンに配置されたアイコンを容易に移動することができる携帯端末機のスクリーン管理方法及び装置を提供する。【解決手段】本発明による携帯端末機のスクリーン管理方法は、特定のアイコンに対する移動が要請されるステップと、前記要請に応じてスクリーンのそれぞれに対応する複数の要約情報を表示するステップと、前記表示された複数の要約情報のうちのいずれか１つに対して前記特定のアイコンの移動配置が要請されるステップと、前記特定のアイコンを前記移動配置が要請された複数の要約情報に対応するスクリーンに移動配置するステップと、を有する。【選択図】図２
2013200874.tif 000002
【特許請求の範囲】
【請求項１】
携帯端末機のスクリーン管理方法であって、
特定のアイコンに対する移動が要請されるステップと、
前記要請に応じてスクリーンのそれぞれに対応する複数の要約情報を表示するステップと、
前記表示された複数の要約情報のうちのいずれか１つに対して前記特定のアイコンの移動配置が要請されるステップと、
前記特定のアイコンを前記移動配置が要請された複数の要約情報に対応するスクリーンに移動配置するステップと、を有することを特徴とするスクリーン管理方法。
【請求項２】
前記要約情報を表示するステップは、
前記要請に応じて所定の分割画面を生成して該生成された分割画面に前記スクリーンのそれぞれに対応する要約情報を表示するか、
又はオンスクリーンディスプレイ（ＯＳＤ）を介して前記スクリーンのそれぞれに対応する要約情報を現在のスクリーン上に表示するステップを有することを特徴とする請求項１に記載のスクリーン管理方法。
【請求項３】
前記要約情報は、対応するスクリーンに移動可能なアイコンの個数、該対応するスクリーンに含まれるアイコンの個数、該対応するスクリーンに含まれるアイコンのイメージ、及びスクリーンの中で対応するスクリーンの配置順序のうちの少なくともいずれか１つを有することを特徴とする請求項１に記載のスクリーン管理方法。
【請求項４】
前記対応するスクリーンに移動可能なアイコンの個数が０個である場合、前記要約情報は、予め定められた色で表示されるか又は個別のスクリーン上に表示されないことを特徴とする請求項３に記載のスクリーン管理方法。
【請求項５】
前記アイコンの移動配置が要請されるステップは、
前記アイコンを移動させることにより前記表示された要約情報のうちのいずれか１つに位置させるステップを有することを特徴とする請求項１に記載のスクリーン管理方法。
【請求項６】
前記表示された要約情報が再配置される場合に、前記再配置される要約情報に対応するようにスクリーンの配置順序を変更するステップを更に有することを特徴とする請求項５に記載のスクリーン管理方法。
【請求項７】
前記配置順序を変更するステップは、
前記表示された要約情報の表示順序がユーザにより変更されるステップと、
前記要約情報の表示順序の変更に対応するように前記スクリーンの配置順序を変更するステップと、を有することを特徴とする請求項６に記載のスクリーン管理方法。
【請求項８】
前記予め設定されたカラーは、赤色であることを特徴とする請求項４に記載のスクリーン管理方法。
【請求項９】
携帯端末機のスクリーン管理装置であって、
アイコンが配置されることが可能なスクリーンを表示する表示部と、
アイコンに対する移動が要請された場合にスクリーンのそれぞれに対応する各要約情報を表示し、該表示された要約情報のうちのいずれか１つに対して前記アイコンの移動配置が要請された場合に前記アイコンを該移動配置が要請された要約情報に対応するスクリーンに移動配置するように制御する制御部と、を有することを特徴とするスクリーン管理装置。
【請求項１０】
前記制御部は、
前記要請に応じて所定の分割画面を生成して該生成された分割画面に前記スクリーンのそれぞれに対応する要約情報を表示するか、
又はオンスクリーンディスプレイ（ＯＳＤ）を介して前記スクリーンのそれぞれに対応する要約情報を現在のスクリーン上に表示するように制御することを特徴とする請求項９に記載のスクリーン管理装置。
【請求項１１】
前記要約情報は、対応するスクリーンに移動可能なアイコンの個数、該対応するスクリーンに含まれるアイコンの個数、該対応するスクリーンに含まれるアイコンのイメージ、及びスクリーン中で対応するスクリーンの配置順序のうちの少なくともいずれか１つを有することを特徴とする請求項９に記載のスクリーン管理装置。
【請求項１２】
前記対応するスクリーンに移動可能なアイコンの個数が０個である場合、前記要約情報は、予め定められた色で表示されるか又は個別のスクリーン上に表示されないことを特徴とする請求項１１に記載のスクリーン管理装置。
【請求項１３】
前記制御部は、前記アイコンを移動させることにより前記表示された要約情報のうちのいずれか１つに位置する場合に、前記アイコンの移動表示が要請されたものと判定することを特徴とする請求項９に記載のスクリーン管理装置。
【請求項１４】
前記制御部は、前記表示された要約情報が再配置される場合に、該再配置される要約情報に対応するようにスクリーンの配置順序を変更するように制御することを特徴とする請求項１３に記載のスクリーン管理装置。
【請求項１５】
前記制御部は、前記表示された要約情報の表示順序がユーザにより変更される場合に、前記要約情報の表示順序の変更に対応するように前記スクリーンの配置順序を変更するように制御することを特徴とする請求項１４に記載のスクリーン管理装置。
【請求項１６】
前記予め設定されたカラーは、赤色であることを特徴とする請求項１１に記載のスクリーン管理装置。
【発明の詳細な説明】
【技術分野】
【０００１】
本発明は、携帯端末機に関し、より詳細には、携帯端末機のスクリーン管理方法及び装置に関する。
【背景技術】
【０００２】
現在、スマートフォンのような携帯端末機は、マルチメディアプレーヤー、電子ブックリーダー、テキストエディタ、及びゲーム機としての様々な機能を提供している。
【０００３】
動作にあたり、携帯端末機の様々な機能は、特定の機能を迅速に選択して実行するためのアイコンをスクリーン（即ち、待ち受け画面）に配置することにより提供される。ユーザによりアンドロイドマーケット又はアップルストアのような様々なソースからダウンロードされるアプリケーションが増加するほどスクリーン上に配置されるアイコンの数も増加する。
【０００４】
表示部のサイズが限定された携帯端末機の特性により、１つのスクリーンに全てのアイコンを配置することは不可能である。従って、携帯端末機は、複数のスクリーンを提供し、スクリーン別にアイコンを配置する機能を提供する。
【０００５】
しかしながら、スクリーンに配置されるアイコンの個数が増加するほど、ユーザの立場では、アイコン及びアイコンが配置されるスクリーンを管理することが難しくなるという問題点がある。
【０００６】
キーボード及びマウスのような便利な入力装置を含むデスクトップコンピュータのような装置では、アイコン及びスクリーンを管理することが容易であるが、キーボード及びマウスのような入力装置を使用しにくい携帯端末機は、アイコン及びスクリーンを管理することに難しさがある。例えば、携帯端末機は、複数のスクリーンを提供し、ドラッグタッチ入力を介してスクリーンを切り替えて使用する。特定のスクリーンに配置されたアイコンを他の任意のスクリーンに移動するためには、対応するアイコンをドラッグした後に、他の任意のスクリーン側に持続的にドラッグを保持しなければならないという不便さがあった。
【０００７】
従って、携帯端末機でも、スクリーン及びスクリーンに配置されるアイコンを便利に管理することができる発明が要求される。
【先行技術文献】
【特許文献】
【０００８】
【特許文献１】韓国特許出願公開第１０−２００５−０１０１２４７号明細書
【発明の概要】
【発明が解決しようとする課題】
【０００９】
本発明は、上記従来の問題点に鑑みてなされたものであって、本発明の目的は、携帯端末機でも、スクリーン及びスクリーンに配置されるアイコンを便利に管理するために、ユーザがスクリーンの配置順序を容易に変更し、スクリーンに配置されたアイコンを容易に移動することができるスクリーン管理方法及び装置を提供することにある。
【課題を解決するための手段】
【００１０】
上記目的を達成するためになされた本発明の一態様による携帯端末機のスクリーン管理方法は、特定のアイコンに対する移動が要請されるステップと、前記要請に応じてスクリーンのそれぞれに対応する複数の要約情報を表示するステップと、前記表示された複数の要約情報のうちのいずれか１つに対して前記特定のアイコンの移動配置が要請されるステップと、前記特定のアイコンを前記移動配置が要請された複数の要約情報に対応するスクリーンに移動配置するステップと、を有することを特徴とする。
【００１１】
前記要約情報を表示する場合、前記要請に応じて所定の分割画面を生成して該生成された分割画面に前記スクリーンのそれぞれに対応する要約情報を表示するか、又はオンスクリーンディスプレイ（ＯＳＤ）を介して前記スクリーンのそれぞれに対応する要約情報を現在のスクリーン上に表示し得る。
前記要約情報は、対応するスクリーンに移動可能なアイコンの個数、該対応するスクリーンに含まれるアイコンの個数、該対応するスクリーンに含まれるアイコンのイメージ、及びスクリーンの中で対応するスクリーンの配置順序のうちの少なくともいずれか１つを有し得る。
前記対応するスクリーンに移動可能なアイコンの個数が０個である場合、前記要約情報は、予め定められた色で表示されるか又は個別のスクリーン上に表示されないことがあり得る。
前記アイコンの移動配置が要請される場合、前記アイコンを移動させることにより前記表示された要約情報のうちのいずれか１つに位置させ得る。
前記スクリーン管理において、前記表示された要約情報が再配置される場合に、前記再配置される要約情報に対応するようにスクリーンの配置順序を変更することができる。
前記配置順序を変更する場合、前記表示された要約情報の表示順序がユーザにより変更され、前記要約情報の表示順序の変更に対応するように前記スクリーンの配置順序を変更し得る。
前記予め設定されたカラーは、赤色であり得る。
【００１２】
上記目的を達成するためになされた本発明の一態様による携帯端末機におけるスクリーン管理装置は、アイコンが配置されることが可能なスクリーンを表示する表示部と、アイコンに対する移動が要請された場合にスクリーンのそれぞれに対応する各要約情報を表示し、該表示された要約情報のうちのいずれか１つに対して前記アイコンの移動配置が要請された場合に前記アイコンを該移動配置が要請された要約情報に対応するスクリーンに移動配置するように制御する制御部と、を有することを特徴とする。
【発明の効果】
【００１３】
本発明の携帯端末機におけるスクリーン管理方法及び装置によれば、携帯端末機でも、スクリーン及びスクリーンに配置されるアイコンを便利に管理することができる。このような方法及び装置により、ユーザは、スクリーンの配置順序を容易に変更することができ、スクリーンに配置されたアイコンを容易に移動することがきるという長所を有する。
【図面の簡単な説明】
【００１４】
【図１】本発明の一実施形態による携帯端末機の構成を示すブロック図である。
【図２】本発明の一実施形態によるスクリーン管理方法を示すフローチャートである。
【図３Ａ】本発明の一実施形態によるスクリーン管理手順の第１の例を示す図である。
【図３Ｂ】本発明の一実施形態によるスクリーン管理手順の第１の例を示す図である。
【図３Ｃ】本発明の一実施形態によるスクリーン管理手順の第１の例を示す図である。
【図３Ｄ】本発明の一実施形態によるスクリーン管理手順の第１の例を示す図である。
【図４Ａ】本発明の一実施形態によるスクリーン管理手順の第２の例を示す図である。
【図４Ｂ】本発明の一実施形態によるスクリーン管理手順の第２の例を示す図である。
【図４Ｃ】本発明の一実施形態によるスクリーン管理手順の第２の例を示す図である。
【図４Ｄ】本発明の一実施形態によるスクリーン管理手順の第２の例を示す図である。
【図５Ａ】本発明の一実施形態によるスクリーン管理手順の第３の例を示す図である。
【図５Ｂ】本発明の一実施形態によるスクリーン管理手順の第３の例を示す図である。
【図５Ｃ】本発明の一実施形態によるスクリーン管理手順の第３の例を示す図である。
【発明を実施するための形態】
【００１５】
以下、本発明を実施するための形態の具体例を、図面を参照しながら詳細に説明する。
【００１６】
図１は、本発明の一実施形態による携帯端末機の構成を示すブロック図である。本実施形態による携帯端末機は、携帯が容易であり移動可能な電子機器であり、ディスプレイフォン、フィーチャーフォン、スマートフォン、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ  ２０００）端末機、ＷＣＤＭＡ（登録商標）（ｗｉｄｅｂａｎｄ  ｃｏｄｅ  ｄｉｖｉｓｉｏｎ  ｍｕｌｔｉｐｌｅ  ａｃｃｅｓｓ）端末機、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）端末機、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、ＤＭＢ（Ｄｉｇｉｔａｌ  Ｍｕｌｔｉｍｅｄｉａ  Ｂｒｏａｄｃａｓｔｉｎｇ）端末機、電子（Ｅ）ブック端末機、ラップトップコンピュータ、タブレットパソコン、及びディジタルカメラなどのように複数のアイテムをスクロールすることにより表示することができる電子機器であると仮定する。
【００１７】
以下、図１を参照して本発明の一実施形態による携帯端末機の構成について説明する。
【００１８】
無線送受信部２３は、無線周波数（ＲＦ）部及びモデム（ＭＯＤＥＭ）を含む。ＲＦ部は、送信される信号の周波数をアップコンバーティング及び増幅するＲＦ送信器と、受信した信号を低雑音増幅して受信した信号の周波数をダウンコンバーティングするＲＦ受信器とを含む。モデムは、送信される信号の符号化及び変調を行う送信器、及びＲＦ部から受信した信号の復調及び復号化を行う受信器を含む。
【００１９】
オーディオ処理部２５は、コーデックを構成し、コーデックは、データコーデックとオーディオコーデックとを含む。データコーデックは、パケットデータを処理し、オーディオコーデックは、音声及びマルチメディアファイルのようなオーディオ信号を処理する。オーディオ処理部２５は、モデムから受信したディジタルオーディオ信号を、オーディオコーデックを用いてアナログ信号に変換して再生するか又はマイクロフォン（ＭＩＣ）から発生したアナログオーディオ信号を、オーディオコーデックを用いてディジタルオーディオ信号に変換し、ディジタルオーディオ信号をモデムに送信する機能を実行する。コーデックは、個別に備えられてもよく、又は制御部１０に含まれてもよい。
【００２０】
キー入力部２７は、数字及び文字情報の入力のためのキー及び各種機能の設定のための機能キー又はタッチパッドなどを含む。
【００２１】
表示部５０が静電容量式又は抵抗膜方式などのタッチスクリーン方式で具現される場合、キー入力部２７は、予め定められた最小のキーのみを含み、このため、表示部５０は、キー入力部２７のキー入力機能の一部を置き換える。
【００２２】
メモリ３０は、プログラムメモリ及びデータメモリを含む。プログラムメモリは、携帯端末機の一般的な動作を制御するためのプログラムを記憶する。メモリ３０は、ＣＦ（登録商標）（Ｃｏｍｐａｃｔ  Ｆｌａｓｈ）、ＳＤ（登録商標）（Ｓｅｃｕｒｅ  Ｄｉｇｉｔａｌ）、Ｍｉｃｒｏ−ＳＤ（登録商標）、Ｍｉｎｉ−ＳＤ（登録商標）、ｘＤ（登録商標）（Ｅｘｔｒｅｍｅ  Ｄｉｇｉｔａｌ）、及びメモリスティック（登録商標）（Ｍｅｍｏｒｙ  Ｓｔｉｃｋ）などのような外部メモリを更に含んでもよい。また、メモリ３０は、ＨＤＤ（Ｈａｒｄ  Ｄｉｓｋ  Ｄｒｉｖｅ）及びＳＳＤ（Ｓｏｌｉｄ  Ｓｔａｔｅ  Ｄｉｓｋ）などのようなディスクを含んでもよい。
【００２３】
表示部５０は、ＬＣＤ、或いは有機発光ダイオード（ＯＬＥＤ）としてパッシブ型マトリックス有機発光ダイオード（ＰＭＯＬＥＤ）又はアクティブ型マトリックス有機発光ダイオード（ＡＭＯＬＥＤ）を含み、携帯端末機で発生する各種表示情報を出力する。表示部５０は、静電式（又は静電容量式）又は抵抗膜方式などのタッチスクリーンを含むことによりキー入力部２７と共に携帯端末機を制御する入力部として作動する。
【００２４】
本実施形態による表示部５０は、アプリケーション、テキスト、又はマルチメディアファイルの迅速な実行（又はオープン）のためのショートカットとして使用されるアイコンをスクリーン上に表示する。特に、このスクリーンは、天気、ニュース、又は株式市場情報を効率的に提供するウィジェット（ｗｉｄｇｅｔ）を表示することができる。従って、スクリーン及びスクリーンに配置されるアイコンを管理する本発明の一実施形態において、ウィジェットは、同一に適用されることによって特定のスクリーンから他のスクリーンへの移動に適用される。
【００２５】
制御部１０は、本実施形態による携帯端末機１００の全般的な動作を制御し、キー入力部２７、表示部５０などを介して発生するユーザからの入力に従って携帯端末機の動作の切り替え及び制御を行う。制御部１０は、複数のスクリーンのうちのいずれか１つのスクリーンに配置されたアイコンのうちの少なくともいずれか１つの移動が要請された場合に、スクリーンのそれぞれに対応する要約情報を表示するように制御する。制御部１０は、ユーザがこの表示された要約情報のうちのいずれか１つに対してアイコンの移動及び配置を要請した場合、このアイコンをこの要約情報に対応するスクリーンに移動して配置するように制御する。制御部１０の詳細な動作については後述する。
【００２６】
一方、ブルートゥース（登録商標）モジュール、カメラモジュール、Ｗｉ−Ｆｉモジュール、加速度センサー、近接センサー、地磁気センサー、又はディジタルメディアブロードキャスティング（ＤＭＢ）受信器などのように携帯端末機に含まれ得る装置を図１には示していないが、これらの装置も、本実施形態による携帯端末機に含めることにより対応する機能を提供することができることは、当業者には自明なことである。
【００２７】
図２は、本発明の一実施形態によるスクリーン管理方法を示すフローチャートであり、図３Ａ〜Ｄ、図４Ａ〜Ｄ、図５Ａ〜Ｃは、本発明の一実施形態によるスクリーン管理手順の第１、第２、及び第３の例を示す図である。以下、本実施形態は、ユーザの携帯端末機が４つのスクリーン（待ち受け画面）を含むという仮定に基づいて図面を参照しながら説明する。しかし、実施例として示すスクリーンの個数が本発明の範囲を限定するものではないという点に留意しなければならない。
【００２８】
ステップＳ２０１及びステップＳ２０２において、スクリーン上に表示されたアイコンのうちのいずれか１つに対する移動が要請された場合、制御部１０は、ユーザの要請に応じて各スクリーンに対応する要約情報を表示するように制御する。
【００２９】
図３Ａ〜図３Ｄを参照すると、ユーザは、スクリーン（待ち受け画面）１〜スクリーン４を含む携帯端末機を使用するにあたり、特定のスクリーンに配置されたアイコンを他のスクリーンに移動することを要請することができる。
【００３０】
この場合、本実施形態で説明するアイコンは、アプリケーション、テキスト、マルチメディアファイルなどの迅速な実行（又はオープン）のためのショートカットのために使用されるイメージを示す。また、図３Ａ、図３Ｂ、図３Ｃ、及び図３Ｄに示すアイコン３１１、３１２、３２１、３３１、３３４、３４１、及び３４２は、アプリケーションに対応するアイコンの例を示し、アイコン３３２及び３３３は、テキストに対応するアイコンの例を示す。本実施形態において、アイコンは、１つ以上のアイコンがグループに提供されるグループアイコン又はウィジェットの概念も含む。
【００３１】
図３Ａ〜図３Ｄを参照すると、第１のスクリーン３１０、第２のスクリーン３２０、第３のスクリーン３３０、及び第４のスクリーン３４０は、スクリーンの配置順序（又は表示順序）に対応する。例えば、スクリーン１（３１０）がホームスクリーンとして指定される場合、スクリーン１は１番目として設定され、スクリーン２は２番目として設定され、スクリーン３は３番目として設定され、スクリーン４は４番目として設定される。従って、ユーザは、１回のタッチ入力（例えば、左方へのドラッグ及びタッチ入力）を実行することによりスクリーン１からスクリーン２への切り替えを要請することができ、２回又は３回のタッチ入力（例えば、左方へのドラッグ及びタッチ入力）を実行することによりスクリーン３からスクリーン４への切り替えを要請することができる。
【００３２】
一方、本実施形態では、スクリーン別に最大４個のアイコンが配置されるという仮定に基づいて説明するが、このような仮定は、説明の便宜のためのものである。従って、各スクリーンに対して配置可能なアイコンの個数は、表示部５０のスペック及び携帯端末機の設定により変更され得る。
【００３３】
上述した仮定に従うと、図３Ａに示すスクリーン１は、２個のアイコンを追加で配置することができ、図３Ｂに示すスクリーン２は、３個のアイコンを追加で配置することができ、図３Ｃに示すスクリーン３は、アイコンを追加で配置できず、図３Ｄに示すスクリーン４は、２個のアイコンを追加で配置することができる。
【００３４】
図３Ａ〜図３Ｄを参照して説明した内容に基づいてステップＳ２０１及びステップＳ２０２を説明すると、ユーザは、メニューを選択するか、スイッチを活性化するか、又はスクリーン（例えば、スクリーン１〜スクリーン４のうちの１つ）に表示されたアイコンのうちのいずれか１つを所定の時間以上タッチすることにより（例えば、ロングタッチを介して）アイコンの移動を要請する。例えば、ユーザが図３Ｄに示すスクリーン４でアイコン３４２を移動するためにアイコン３４２をロングタッチすると、制御部１０は、これに対応して図４Ａに示すようにスクリーン４５０で分割画面を生成した後、生成された分割画面４５０を介して各スクリーンの要約情報を表示するように制御する。他方、本実施形態は、メニュー操作又はアイコンに対するロングタッチに加えて、予め定められた入力を介してスクリーンに対応する各要約情報を表示する機能も提供することができる。
【００３５】
この時、各スクリーンの要約情報は、スクリーンの分割画面を介して独立して表示する代わりに、ユーザによって現在使用されているスクリーン（例えば、アイコンの移動を要請したスクリーン）上にＯＳＤ（Ｏｎ−Ｓｃｒｅｅｎ  Ｄｉｓｐｌａｙ）の形態で表示することも可能である。
【００３６】
一方、本実施形態において、各スクリーンに対応する要約情報は、対応するスクリーンに移動可能な（又は、対応するスクリーンに追加で配置可能な）アイコンの個数及びスクリーンの配置順序（表示順序）を含む。
【００３７】
図４Ａを参照すると、スクリーン１に対応する要約情報が参照符号４５１で示され、要約情報４５１は、参照符号４５１ａにより図３Ａに示すスクリーン１に移動可能な（配置可能な）アイコンの個数が２個であり、参照符号４５１ｂによりスクリーンの配置順序が１番目のスクリーン（例えば、ホームスクリーン）であることをユーザに通知する。
【００３８】
同様に、スクリーン２に対応する要約情報が参照符号４５２で示され、図３Ｂに示すスクリーン２に移動可能な（配置可能な）アイコンの個数が３個であり、参照符号４５２ｂによりスクリーンの配置順序が２番目であることをユーザに通知する。また、スクリーン３及びスクリーン４に対応する要約情報がそれぞれ参照符号４５３及び４５４で示され、図３Ｃ及び図３Ｄに示すスクリーン３及びスクリーン４に移動可能なアイコンの個数がそれぞれ０個及び２個であり、参照符号４５３ｂ及び４５４ｂによりスクリーンの配置順序がそれぞれ３番目及び４番目であることをユーザに通知する。
【００３９】
また、他の実施形態において、各スクリーンに対応する表示された要約情報は、要約情報に対応するスクリーンに配置中である（又は含まれる）アイコン（又は複数のアイコン）の個数又はアイコン（又は複数のアイコン）のイメージを含めて表示することもできる。
【００４０】
上述したステップＳ２０１及びＳ２０２において、ユーザは、図３Ｄに示すスクリーン４が表示されている間に、移動しようとするアイコン３４２のロングタッチ（アイコンの移動を要請）を行うことにより、図４Ａに示すように各スクリーンに対する要約情報に基づいてどのスクリーンへのアイコンの移動が可能であるか又は不可能であるかを確認することができる。例えば、ユーザは、図４Ａに示すスクリーン３に対応する要約情報４５３を介してスクリーン３が移動可能なアイコンの個数が０であるため、アイコン４４２をスクリーン３に移動することができないことを確認することができる。
【００４１】
一方、本実施形態において、要約情報が表示される場合に、アイコンの移動が不可能なスクリーンに対応する要約情報は、アイコンの移動が可能なスクリーンに対応する要約情報と識別することができるように予め定められたカラーで表示することもできる。例えば、スクリーン３には４個のアイコンが配置されているため、他のアイコンをスクリーン３に移動することが不可能である。従って、スクリーン３に対応する要約情報４５３は、赤色で表示することにより他の要約情報と識別されるようにすることができる。
【００４２】
また、他の実施形態において、要約情報が表示される場合に、アイコンの移動が不可能なスクリーンがある場合に、アイコンの移動が不可能なスクリーンに対応する要約情報を表示しないようにすることもできる。その結果、不必要な要約情報（即ち、アイコンの移動が不可能なスクリーンに対応する要約情報）の表示を防止することができる。
【００４３】
次に、ステップＳ２０３及びステップＳ２０４において、表示された要約情報のうちのいずれか１つに対してアイコンの移動配置が要請された場合、制御部１０は、ユーザの移動配置の要請に対応して移動配置が要請されたアイコンを、対応する要約情報に対応するスクリーンに移動配置（再配置）するように制御する。
【００４４】
図４Ａに示すように、各スクリーンに対応する要約情報を識別することにより、ユーザは、アイコンを移動することができるスクリーンがスクリーン１及びスクリーン２であることを識別することができる。この場合、現在ユーザが見ているスクリーンがスクリーン４であるため、ユーザは、スクリーン４内でアイコンの再配置のみを変更することも可能である。
【００４５】
本実施形態において、アイコンの特定のスクリーンから他のスクリーンへの移動は、所望のスクリーンに対応する要約情報上にアイコンを移動させる（例えば、アイコンをドラッグして要約情報上に位置させる）ことにより行われる。図４Ｂを参照すると、参照符号４６０ａ及び４６０ｂで示すように、ユーザは、タッチ入力（又はキー入力）を介してアイコン４４２をスクリーン１に対応する要約情報又はスクリーン２に対応する要約情報に移動させることにより、アイコン４４２をスクリーン１又はスクリーン２への移動配置を要請することができる。
【００４６】
ユーザがアイコン４４２をスクリーン２に対応する要約情報への移動配置を要請するために、図４Ｂの参照符号４６０ｂで示すようなタッチ入力を行った場合、制御部１０は、タッチ入力に対応してアイコン４４２が図４Ｃに示すようにスクリーン２に移動配置されるように制御する。アイコン４４２がスクリーン４からスクリーン２に移動した場合、制御部１０は、図４Ｄに示すようにスクリーン４上にアイコン４４１のみを表示するように制御する。
【００４７】
また、ステップＳ２０５及びステップＳ２０６において、表示された要約情報がユーザにより再配置された場合に、制御部１０は、再配置された要約情報に対応するようにスクリーンの配置順序を変更するように制御する。
【００４８】
ステップＳ２０３及びステップＳ２０４を参照して上述した実施形態は、任意のスクリーンから他のスクリーンへのアイコンの移動に関連する。しかし、この実施形態は、ステップＳ２０５及びステップＳ２０６を介して追加でスクリーンの配置順序を変更する方法を提供する。
【００４９】
即ち、ユーザがメニュー選択やアイコンに対するロングタッチなどのようなユーザ入力を行うことにより各スクリーンに対応する要約情報が表示された場合に、ユーザは、表示された要約情報を用いてスクリーンの配置順序（例えば、表示順序）を容易に変更することができる。
【００５０】
この手順は、図５Ａ〜図５Ｃを参照して更に詳細に説明する。図５Ａに示すように、図３に示すスクリーン１〜スクリーン４に対応するそれぞれの要約情報５５１、５５２、５５３、及び５５４がスクリーン１〜スクリーン４の配置順序に対応するように順次に表示された場合に、ユーザは、タッチ入力などを介して表示された要約情報を移動させることにより表示順序を変更することができ、制御部１０は、変更された要約情報の表示順序に対応するようにスクリーンの配置順序を変更するように制御する。
【００５１】
例えば、ユーザが図３Ｄに示したスクリーン４の（配置順序が４番目である）配置順序の変更を希望すると仮定した場合、ユーザは、図５Ｂの参照符号５６０ａ、５６０ｂ、又は５６０ｃで示すように、スクリーン４に対応する要約情報５５４の表示順序を変更することができ、スクリーンの配置位置に対する変更を要請することができる。
【００５２】
例えば、図５Ｂの参照符号５６０ｃで示すように、ユーザが、スクリーン４に対応する要約情報５５４を、ドラッグタッチ入力を介してスクリーン２に対応する要約情報５５２とスクリーン３に対応する要約情報５５３との中間位置に移動させた場合、制御部１０は、スクリーン３をスクリーン４に変更すると同時に既存のスクリーン４をスクリーン３に変更することによりスクリーンの配置順序を変更するように制御する。
【００５３】
即ち、図５Ｂに示すアプリケーション６のアイコン５４１及びアプリケーション７のアイコン５４２を含むスクリーン４の配置順序は４番目であるが、図５Ｂの参照符号５６０ｃで示すような移動を介して、図５Ｃに示すようにスクリーンの配置順序が３番目となるスクリーン３（５３０）に変更される。
【００５４】
同様に、ユーザが参照符号５６０ａで示すように要約情報５５４を移動させた場合、スクリーン４の配置位置は、４番目から１番目に変更され、元のスクリーン１、スクリーン２、及びスクリーン３の配置位置は、２番目、３番目、及び４番目にそれぞれ変更される。
【００５５】
また、参照符号５６０ｂで示すように、ユーザが要約情報５５４を移動させた場合、スクリーン４の配置位置は４番目から２番目に変更され、元のスクリーン２及びスクリーン３の配置位置は、３番目及び４番目にそれぞれ変更される。
【００５６】
ステップＳ２０５及びステップＳ２０６を参照して上述した実施形態により、アイコンが配置された複数のスクリーンを含む携帯端末機を使用するにあたり、ユーザは、スクリーンの配置位置を容易に且つ選択的に変更することにより携帯端末機を操作することがより容易なように設定することができる。
【００５７】
一方、上述した本発明の実施形態がアイコンを用いて行われるものとして説明したが、本発明の実施形態において、アイコンと類似した機能を提供するウィジェットにも同様に適用することにより、ウィジェットが特定のスクリーン上に迅速に移動されて表示（移動配置）されるようにすることができる。
【００５８】
上述した本発明の実施形態は、スクリーン及びスクリーンに配置されたアイコンを便利に管理することができる長所を提供することができ、これにより、ユーザは、スクリーンの配置順序を容易に変更することができ、スクリーン上に配置されたアイコンを容易に移動させることができる。
【００５９】
本発明による上述した方法は、ＣＤ  ＲＯＭ、ＲＡＭ、フロッピー（登録商標）ディスク、ハードディスク、又は光磁気ディスク、或いはネットワークを介してダウンロードされるような記録媒体に格納することができるハードウェア、ファームウェア、ソフトウェア、又はコンピュータコードで具現することができ、これにより、ここで説明した方法は、ＡＳＩＣ又はＦＰＧＡのような一般的な用途のコンピュータ、又は特定のプロセッサ、或いはプログラム可能な又は指示されたハードウェアを用いるソフトウェアにより実行することができる。当該技術分野で理解されるように、コンピュータ、プロセッサ、又はプログラム可能なハードウェアには、メモリ構成要素、例えば、ＲＡＭ、ＲＯＭ、フラッシュメモリなどが含まれ、コンピュータ、プロセッサ、又はハードウェアによりアクセスされて実行される際に、ここで説明した処理方法が具現される。また、一般的な用途のコンピュータがここで説明した処理を実行するためのコードにアクセスする時、コードの実行は、一般的な用途のコンピュータをここで説明した処理を実行するための特殊な用途のコンピュータに代えることができる。
【００６０】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【００６１】
１０    制御部
２３    無線送受信部
２５    オーディオ処理部
２７    キー入力部
３０    メモリ
５０    表示部
【図１】
2013200874.tif 000003
【図２】
2013200874.tif 000004
【図３Ａ】
2013200874.tif 000005
【図３Ｂ】
2013200874.tif 000006
【図３Ｃ】
2013200874.tif 000007
【図３Ｄ】
2013200874.tif 000008
【図４Ａ】
2013200874.tif 000009
【図４Ｂ】
2013200874.tif 000010
【図４Ｃ】
2013200874.tif 000011
【図４Ｄ】
2013200874.tif 000012
【図５Ａ】
2013200874.tif 000013
【図５Ｂ】
2013200874.tif 000014
【図５Ｃ】
2013200874.tif 000015